(57)【特許請求の範囲】
【請求項１】
エレベータの操作を行う操作器具と、エレベータの仮設使用時に前記操作器具を乗場壁に設置する仮設用器具を備えたエレベータ操作装置において、
前記仮設用器具は複数の折り曲げ可能部を備えた板状体からなり、これら折り曲げ可能部を折り曲げることによって箱形部と上下延長部とが形成され、前記上下延長部で前記操作器具を支持し、更に前記箱形部を乗場壁に取り付けて前記乗場壁から前記操作器具を隔離する構成であり、前記上下延長部に切断可能部を備え、前記操作器具の大きさに合わせて前記切断可能部で切断できる構成であることを特徴とするエレベータの操作装置。
【請求項２】
エレベータの操作を行う操作器具と、エレベータの仮設使用時に前記操作器具を乗場壁に設置する仮設用器具を備えたエレベータ操作装置において、
前記仮設用器具は複数の折り曲げ可能部を備えた板状体からなり、これら折り曲げ可能部を折り曲げることによって箱形部と上下延長部とが形成され、前記上下延長部で前記操作器具を支持し、更に前記箱形部を乗場壁に取り付けて前記乗場壁から前記操作器具を隔離する構成であり、前記箱形部は折り曲げ時、箱形を形成する四側面のうち１つの側面部が分割されて揺動可能になっており且つ底面部との間に隙間を有する構成になっていることを特徴とするエレベータの操作装置。
【発明の詳細な説明】
【０００１】
【発明の属する技術分野】
本発明は、エレベータの操作装置に係り、特に建物の建築工事中にエレベータを仮設使用するのに好適なエレベータの操作装置に関するものである。
【０００２】
【従来の技術】
建物の建築工事中に仮設使用されるエレベータの操作装置は、乗場側に設けられる操作器具として、仮設用の特別な操作器具を使用するか、又は本設用の操作器具を使用する方法がある。
【０００３】
仮設用の特別な操作器具を使用する方法では、本設用と同等の機能を有する操作器具が必要であり、多くの費用がかかるという問題がある。
一方本設用の操作器具を仮設使用する場合には、本設操作器具が取り付けられる乗場壁の仕上げ作業時に、本設操作器具が汚損される虞があるため、その対策が必要であった。
【０００４】
この本設操作器具を仮設使用する従来例として実開平３―１２２０６０がある。この例を図４，図５により説明する。
図において、１は乗場であり、乗場床２、乗場壁３、この乗場壁３の表面に付設した仕上げ材４、三方枠５、乗場敷居６、乗場戸７、乗場壁３に設置された操作器具８、などが設けられている。操作器具８は、乗場壁３に設置されるボックス９及び操作ボタン１０ａ，表示灯１０ｂを含む操作盤１０を備えている。
【０００５】
エレベータの仮設使用時には、操作盤１０の表面には透明で柔軟な材質からなる表面カバー１１と、ボックス９から突出した状態で装着され、操作盤１０を支持するとともにこの操作盤１０の側面を保護する側面カバー１２を設け、これら表面カバー１１，操作盤１０，側面カバー１２を、ボックス９のねじ部１５にボルト１６で取り付ける。
【０００６】
この状態で仮設使用し、乗場壁３に仕上げ材４を付設して乗場壁３を仕上げる。そして乗場壁３の仕上げ作業終了後、表面カバー１１，操作盤１０，側面カバー１２を一旦取り外し、操作盤１０のみをボックス9に取り付ける。
この構成であれば、本設操作器具８を汚損することなく仮設使用することができる。
【０００７】
【発明が解決しようとする課題】
前記の従来技術は、ボックスを有するタイプの操作器具についてであるが、近年はボックスのない薄型の操作器具が使用されるようになってきている。この場合、ボックスを利用した前記従来技術の構成を適用することができないため、別の手段が求められていた。
【０００８】
【課題を解決するための手段】
本発明は、板状体を折り曲げて形成した仮設用器具によって操作器具を乗場壁に設置する構成である。この板状体は、複数の折り曲げ可能部を備えており、これら折り曲げ可能部を折り曲げて箱形部と上下延長部とを形成する。そして、この上下延長部で操作器具を支持し、更に箱形部で乗場壁から操作器具を隔離することにより、乗場壁の仕上げ作業時における操作器具の汚損を防止するものである。
【０００９】
また、上下の延長部に切断可能部を備え、所定の位置の切断可能部を切断することにより、複数種類の操作器具に対応できるようにしている。更に、箱形部の箱形を形成する四側面のうち1つの側面部が分割されて揺動可能になっており且つ底面部との間に隙間を有する構成にすることにより、仕上げ材付設後に仮設用器具を取り外しやすくしている。
【００１０】
【発明の実施の形態】
本発明の実施の形態を図により説明する。図１は操作装置の全体斜視図、図２は設置状態を示す断面図、図３は仮設用器具を示す図である。
図において、２０は表面板２１と背面板２２を備えた薄型の操作器具である。表面板２１には操作ボタン２１ａ，表示灯２１ｂが配置され、内側には制御機器（図示省略）が取り付けられている。２２ａは背面板２２に空けられた配線孔、２２ｂ、２２ｃは取付孔である。
【００１１】
３０は操作器具２０の仮設用器具であり、工場から出荷されるときには、図３に示すような1枚の板状体からなっている。ａ〜ｇは複数のスリット状の溝からなる折り曲げ可能部、ｘ〜ｚは同じく切断可能部である。これら折り曲げ可能部、切断可能部によって板状体は複数の部分に区分されている。３１〜３５は折り曲げられると箱形を形成する箱形部３６の各側面であり、このうち側面３１と３５とは両者で一側面を構成する。３７は底面部であるが、折り曲げ時の箱形部の底面の全てを覆っているわけではなく、上部には側面３２との間に四角形の配線孔３８を形成し、側面３１，３５との間には隙間３９が空いている。またこの底面部３７には乗場壁３に固定するための取付孔が空けられている。
【００１２】
片４０〜４２で上部延長部４３を構成し、片４４，４５で下部延長部４６を構成している。また上下部延長部４３，４６の各片には操作器具２０と連結するための取付孔が空けられている。５０はケーブル配線である。
【００１３】
操作器具２０を仮設使用するときは、据付現場で折り曲げ可能部ａ〜ｇを折り曲げ、中間に箱形部３６を形成するとともに、上下に上下部延長部４３，４６を形成する。そして操作器具２０の長さに合わせて切断可能部ｘ〜ｚの適当なところを切断する。
次に、仮設用器具３０の配線孔３８，操作器具２０の配線孔２２ａを通してケーブル配線５０を表面板２１の制御機器に連結する。更に底面部３７の取付孔を介して仮設用器具３０を乗場壁３に取り付け、また上下部延長部の取付孔及び背面板２２の取付孔２２ｂ，２２ｃを介して、表面板２１，背面板２２，仮設用器具３０を連結する。
【００１４】
この状態で仮設使用運転を行う。仕上げ材４を付設すると図２のように箱形部３６のみが仕上げ材４に触れる。仕上げ作業が完了すると、仮設用器具３０を外すが、このとき箱形部３６の各片３１〜３５は仕上げ材４と密接しているため、外れにくくなる虞がある。そのため、本実施形態では片３１，３５の先端を内側に寄せることによって、片３１，３５が仕上げ材４から容易に分離できる構成としている。これにより他の３面の仕上げ材４からの分離も容易になる。仮設用器具３０を外した後、表面板２１，背面板２２を仕上げ材４に取り付け、作業は終了する。
【００１５】
以上のように本実施形態によれば、ボックスを有しない操作器具であっても、乗場壁の仕上げ作業時に汚損されることなく、本設用操作器具を仮設使用することができる。
【００１６】
また切断可能部ｘ〜ｚの切断例としては、表面板２１上の操作ボタン２１ａ，表示灯２１ｂの有無によって次のようなものがある。
(1) 操作ボタン２１ａだけがあって、表示灯２１ｂがない場合
→  切断可能部ｘ、ｚで切断。
(2) 操作ボタン２１ａと表示灯２１ｂの両方がある場合
→  切断可能部ｙ、ｚで切断。
(3) (2)の場合で表示灯２１ｂが大型の場合
→  切断可能部ｚで切断。
(4) 操作ボタン２１ａに加え、車椅子用の操作ボタンがある場合
→  切断可能部ｘで切断。
(5) (4)の場合で表示灯２１ｂがある場合
→  切断可能部ｙで切断。
(6) (5)の場合で表示灯２１ｂが大型の場合
→  切断しない。
【００１７】
以上説明したように本実施形態によれば、仮設用器具３０は板状で現場まで運ばれるため輸送が容易になり、更に、工場での製作時に曲げ加工が不要で、しかも一種類の仮設用器具３０で多種の操作器具に対応できるため、生産効率が良く、コストダウンになるという効果がある。
【００１８】
前記の実施形態では省略しているが、通常の場合表面板２１には保護用のシートが付けられたまま出荷されるため表面板２１には何も付けずに仮設使用しているが、保護用シートのない場合や、更なる保護を必要とする場合には、図４の従来例と同様に仮設使用時用の軟質のカバー等を取り付けてもよい。
また、仮設用器具３０の切断可能部ｘ〜ｚでの切断を現場で行っているが、操作器具２０の大きさは据付工事前から分かっているのだから、出荷前に予め所定の位置で切断しておいてもよい。更に一度使用した操作器具３０も、使用後折り曲げ可能部ａ〜ｇを伸ばして持ち帰ることにより、操作器具２０の大きさが共通する他の現場での再利用が可能となる。
【００１９】
【発明の効果】
以上説明したように、本発明によれば、ボックスのない薄型の操作器具であっても、乗場壁の仕上げ作業時における操作器具の汚損等の問題を生じることなく、本設用の操作器具の仮設使用が行える。
【図面の簡単な説明】
【図１】本発明の実施の形態の操作装置の全体斜視図である。
【図２】本発明の実施の形態の操作装置の設置状態を示す断面図である。
【図３】本発明の実施の形態の仮設用器具を示す図である。
【図４】従来の操作装置の全体斜視図である。
【図５】従来の操作装置の設置状態を示す横断面図である。
【符号の説明】
３  乗場壁
４  仕上げ材
１０ａ，２１ａ  操作ボタン
１０ｂ、２１ｂ  表示灯
２０  操作器具
３０  仮設用器具
３６  箱形部
４３  上部延長部
４６  下部延長部
ａ〜ｇ  折り曲げ可能部
ｘ〜ｚ  切断可能部
【図１】
0003956588.tif 000002
【図２】
0003956588.tif 000003
【図３】
0003956588.tif 000004
【図４】
0003956588.tif 000005
【図５】
0003956588.tif 000006